(57)【特許請求の範囲】
【請求項１】
システム制御部及び周辺機器を含んで構成されるシステムの少なくとも前記システム制御部と前記周辺機器とに対して供給される電源の供給を制御する電源供給制御装置において：
ユーザによりオンまたはオフに切替えられるスイッチと，
前記スイッチがオン状態に設定されると，駆動電圧を印加する駆動電圧印加部と，
前記駆動電圧が印加されることにより，パルス信号を出力するパルス幅変調部と，
前記パルス幅変調部からのパルス信号によって切替動作を行う第１切替手段と，
前記第１切替手段の切替動作により前記システム制御部と前記周辺機器とに対する電源を誘起する変圧器と，
前記システム制御部から発生する電源オフ信号を検出することにより，前記パルス幅変調部の動作を中断させる電源オフ信号検出部と，
前記システム外部から所定動作を要求する信号が印加されるか否かを，前記システム制御部を介さずに検出する所定動作要求信号検出部とから構成されて，
前記システム制御部は，前記変圧器に電源が誘起されて前記システム制御部と周辺機器に電源が印加された後，前記周辺機器の作動しない時間が所定時間を経過すると，スリープモードに設定し，そのスリープモードに設定された時間が所定時間過ぎると，前記電源オフ信号を前記電源オフ信号検出部に送出することで，該システム制御部および周辺機器への電源の供給を遮断させ，
前記駆動電圧印加部は，前記所定動作要求信号検出部から前記所定動作を要求する信号の検出を知らせる信号が印加された場合，前記システム制御部を介さずに前記パルス幅変調部に前記駆動電圧を印加することを特徴とする，電源供給制御装置。
【請求項２】
前記駆動電圧印加部及び前記変圧器は，前記駆動電圧が印加された後，前記スイッチがオフ状態に設定されても前記電源オフ信号が生じるまで前記システム制御部および前記周辺機器に電源を供給することを特徴とする，請求項１に記載の電源供給制御装置。
【請求項３】
前記駆動電圧印加部は，前記スイッチがオン状態の場合，前記駆動電圧が前記パルス幅変調部に伝送される経路を提供するための第２切替手段を有することを特徴とする，請求項１に記載の電源供給制御装置。
【請求項４】
前記電源オフ信号検出部は，前記電源オフ信号が印加された場合，前記パルス幅変調部による前記パルス信号の提供を中断するための第３切替手段を有することを特徴とする，請求項１に記載の電源供給制御装置。
【請求項５】
前記駆動電圧印加部は，前記スイッチのオンまたはオフ状態と関係なく前記所定動作を要求する信号の検出を知らせる信号が印加された場合，前記駆動電圧を前記パルス幅変調部に印加することを特徴とする，請求項１に記載の電源供給制御装置。
【請求項６】
前記所定動作を要求する信号は，リング信号であることを特徴とする，請求項１又は５に記載の電源供給制御装置。
【請求項７】
システム制御部及び周辺機器を含んで構成されるシステムの少なくとも前記システム制御部と前記周辺機器とに対して供給される電源の供給を制御する電源供給制御装置の電源供給制御方法において：
スイッチがユーザと接触している間，駆動電圧を印加するオン状態に設定される処理とシステムの外部から所定の動作を要求する信号が印加される処理とのうちいずれか一方の処理により電源供給部から前記周辺機器及びシステム制御部に電源を供給するために制御する段階と，
前記電源が前記システム制御部と周辺機器とに供給されている状態で，前記周辺機器の作動しない時間が所定時間を経過すると，スリープモードに設定し，そのスリープモードに設定された時間が所定時間過ぎると，電源オフ信号を生成する段階と，
前記システム制御部から電源オフ信号が生じた場合，前記電源供給部の動作を中断して前記周辺機器及びシステム制御部への電源供給を中断する段階と，
前記周辺機器及びシステム制御部への電源供給が少なくとも中断した状態で，前記システム外部から所定動作を要求する信号を，前記システム制御部を介さずに検出する段階と，
前記所定動作を要求する信号の検出を知らせる信号が印加された場合，前記システム制御部を介さずに前記駆動電圧を印加する段階とを有することを特徴とする，電源供給制御方法。
【請求項８】
前記所定の動作を要求する信号はリング信号であることを特徴とする，請求項７に記載の電源供給制御方法。
【発明の詳細な説明】
【０００１】
【発明の属する技術分野】
本発明はスイッチングモードパワーサプライの電源を供給する電源供給制御装置及び電源供給制御方法にかかり，特にファクシミリなどのデータを送信／受信及び出力できるシステムにおける電源供給制御装置及び電源供給制御方法に関する。
【０００２】
【従来の技術】
スイッチングモードパワーサプライ（ＳＭＰＳ）の電源供給装置はスイッチング動作により電源を供給する。ファクシミリのようにデータを出力できるシステムに備わっている既存のＳＭＰＳである電源供給装置は，図１に示された通りである。図１は，該当システムに備わるＳＭＰＳが，システム制御部（ＣＰＵ）および周辺機器に電源を供給する例を示したものである。
【０００３】
図１に示すように，既存のＳＭＰＳである電源供給装置は，ＡＣ（Ａｌｔｅｒｎａｔｉｎｇ  Ｃｕｒｒｅｎｔ）スイッチＳＷ１がオンになると，ＡＣ電圧が整流回路１０１においてＤＣ（Ｄｉｒｅｃｔ  Ｃｕｒｒｅｎｔ）電圧に変わって駆動電圧印加部１０５と１次側主巻線Ｎｐに伝送される。この時，パルス幅変調（Ｐｕｌｓｅ  Ｗｉｄｔｈ  Ｍｏｄｕｌａｔｉｏｎ，ＰＷＭ）−ＩＣ１１０に駆動電圧が印加されず１次側主巻線Ｎｐには電源が誘起されない。
【０００４】
駆動電圧印加部１０５は，起動抵抗Ｒ１，Ｒ２，キャパシタＣ１，抵抗Ｒ３，ダイオードＤ１より構成され，ＰＷＭ−ＩＣ１１０に駆動電圧Ｖｃｃを提供する。すなわち，ＤＣ電圧が駆動電圧印加部１０５に印加されると，起動抵抗Ｒ１，Ｒ２を介してキャパシタＣ１が充電される。前記キャパシタＣ１に充電された電圧によりＰＷＭ−ＩＣ１１０のＰ１端子に駆動電圧Ｖｃｃが提供される。これにより，ＰＷＭ−ＩＣ１１０は，Ｐ３端子を介して電界効果トランジスタＦＥＴのスイッチング動作を制御する信号を出力する。出力されたスイッチング制御信号は抵抗Ｒ４を介して電界効果トランジスタＦＥＴのゲート端に印加される。電界効果トランジスタＦＥＴがオンになれば，変圧器１１５内の１次側主巻線Ｎｐは２次側巻線Ｎｓ１，Ｎｓ２及び１次側補助巻線Ｎａに電源を誘起させる。
【０００５】
変圧器１１５内の補助巻線Ｎａに電源が誘起されれば，駆動電圧印加部１０５内のダイオードＤ１及び抵抗Ｒ３を介してＰＷＭ−ＩＣ１１０は駆動電圧を供給される。電界効果トランジスタＦＥＴがオフになって補助巻線Ｎａに電源が誘起されない場合に，キャパシタＣ１に充電されている電圧によりＰＷＭ−ＩＣ１１０に対して，駆動電圧が供給される。
【０００６】
前述のように，補助巻線Ｎａ及び２次側巻線Ｎｓ１，Ｎｓ２に誘起される電源は，電界効果トランジスタＦＥＴのスイッチング動作により決定される。電界効果トランジスタＦＥＴのスイッチング動作は，Ｐ４端子を介してフィードバック部１２０から提供される信号により，ＰＷＭ−ＩＣ１１０において決定されたデューティサイクルに従う。
【０００７】
フィードバック部１２０は，システム制御部（図示せず）に出力される電圧Ｖｏ１を感知し，この出力電圧Ｖｏ１が一定に保持さるべくＰＷＭ−ＩＣ１１０のＰ４端子にフィードバック信号を提供する。
【０００８】
ＰＷＭ−ＩＣ１１０は，Ｐ２端子を介して電界効果トランジスタＦＥＴに流れる電流のピーク値を測定し，電界効果トランジスタＦＥＴに過電流が流れることを防止する。すなわち，ＰＷＭ−ＩＣ１１０は，測定された電流のピーク値により電界効果トランジスタＦＥＴに過電流が流されると認識すると，電界効果トランジスタＦＥＴへの電源供給をシャットダウン（中断）させる。
【０００９】
一方，２次側巻線Ｎｓ１，Ｎｓ２に誘起されるＡＣ電源は，それぞれダイオードＤ２，Ｄ３及びキャパシタＣ２，Ｃ３，Ｃ４，Ｃ５によりＤＣ電圧に平滑化されて周辺機器（図示せず）及びシステム制御部（図示せず）に供給される。
【００１０】
【発明が解決しようとする課題】
しかしながら，ＡＣスイッチＳＷ１がオフ状態になれば，図１に示されたＳＭＰＳである電源供給装置は，前述のように周辺機器及びシステム制御部に電源を供給するための作業を中断する。
【００１１】
上記記載の通り，既存のＳＭＰＳはＡＣスイッチをオフ状態にしなければ，続けてシステム制御部及び周辺機器に電源を供給する。従って，電力消費を減らすために該当するシステムを利用しない場合には，ＡＣスイッチをオフにする必要がある。しかし，ファクシミリのようなシステムはいつデータに対する出力が要求されるかもしれない特性のゆえに，常にＡＣスイッチをオンにしておく。従って，システムを使用しない時にもシステム制御部及び周辺機器に続けて電源が印加されるので，不要な電力を消費してしまう。
【００１２】
これを解決するために，既存にはシステム制御部が一定時間該当するシステムが何らの動作をしないと認識されれば，制御部を除外した該当システムに備わっている全ての周辺機器に対してＳＭＰＳから供給される電源を遮断するスリープモード（ｓｌｅｅｐ  ｍｏｄｅ）が提案された。しかし，スリープモードが設定された場合にも，ＳＭＰＳは続けてシステム制御部に電源を供給しているのみだけではなく，周辺機器への電源供給は遮断された状態でも，引き続きＳＭＰＳから周辺機器への電源供給作業は行われる。従って，スリープモードに設定された場合にもＳＭＰＳでの電力消費は続く。
【００１３】
本発明は，上記問題点に鑑みてなされたものであり，本発明の目的は，ＳＭＰＳを制御して，システムに対して電源の供給を中断することにより，上記ＳＭＰＳを含むシステムの電力消費の削減可能な，新規かつ改良された電源供給制御装置及び電源供給制御装置の電源供給制御方法を提供することである。
【００１４】
さらに，本発明の別の目的は，ＡＣスイッチを使用せずに，該当システムへの電源供給が必要とされる場合に限り，ＳＭＰＳを制御することが可能な，新規かつ改良された電源供給制御装置及び電源供給制御装置の電源供給制御方法を提供することである。
【００１５】
さらに，本発明の別の目的は，ファクシミリのようなシステムにおいて，データ出力を必要とする場合に限り，自動的に電源をオンさせるように制御することが可能な，新規かつ改良された電源供給制御装置及び方法を提供するところにある。
【００１６】
【課題を解決するための手段】
上記課題を解決するため，本発明の第１の観点によれば，システムに構成される少なくともシステム制御部および周辺機器に対して電源供給を制御する電源供給制御装置が提供される。上記電源供給制御装置は，ユーザが接触している間，電源のオン状態となるように設定されたスイッチ（ＳＷ２）と，スイッチがオン状態に設定されると，駆動電圧を印加する駆動電圧印加部と，駆動電圧が印加されることにより，パルス信号を出力するパルス幅変調部と，パルス幅変調部からのパルス信号によって切替動作を行う第１切替手段と，上記第１切替手段の切替動作によりシステム制御部と周辺機器とに対する電源を誘起する変圧器と，システム制御部から発生する電源オフ信号を検出することにより，パルス幅変調部の動作を中断させる電源オフ信号検出部と，システム外部から所定動作を要求する信号が印加されるか否かを，システム制御部を介さずに検出する所定動作要求信号検出部とから構成され，システム制御部は，変圧器に電源が誘起されてシステム制御部と周辺機器に電源が印加された後，周辺機器の作動しない時間が所定時間を経過すると，スリープモードに設定し，そのスリープモードに設定された時間が所定時間過ぎると，電源オフ信号を電源オフ信号検出部に送出することで，該システム制御部および周辺機器への電源の供給を遮断させ，駆動電圧印加部は，所定動作要求信号検出部から所定動作を要求する信号の検出を知らせる信号が印加された場合，システム制御部を介さずにパルス幅変調部に駆動電圧を印加することを特徴としている。
【００１７】
本発明によれば，スイッチがオン状態，または所定動作を要求する信号が印加された場合，システム制御部および周辺機器に対して電源を供給して，スイッチがオフ状態，さらに所定動作を要求する信号の印加が検出されず，電源オフ信号を検出した場合，システム制御部および周辺機器に対して電源の供給を中断する処理を行う。かかる構成により，周辺機器，システム制御部などが使用されていない場合は，周辺機器，システム制御部に電源の供給を中断するため，電力消費の削減をすることが可能となる。
【００１８】
本発明によれば，電源供給部は，電源オフ信号が印加されることにより，２次側巻線と１次側補助巻線に電源が誘起されないようにスイッチがオフ状態となるスイッチングモードパワーサプライにより構成することができる。かかる構成により，使用されない周辺機器に対する電源の供給を中断することができる。
【００１９】
本発明によれば，検出部は，リング信号を検出するためのリング信号検出部から構成されることができる。かかる構成により，ファクシミリなどのシステム（装置）に対して，要求された所定処理をリング信号を検出することにより実行することができる。
【００２０】
さらに，本発明の別の観点によれば，システムに構成される少なくともシステム制御部および周辺機器に対して電源供給を制御する電源供給制御装置が提供される。上記電源供給制御装置は，ユーザによりオンまたはオフ状態を制御されるスイッチと，電源を誘起するための第１切替手段と，駆動電圧が印加されることにより，第１切替手段のスイッチング動作を制御するパルス信号を提供するパルス幅変調部と，第１切替手段の動作により電源を供給する変圧器と，スイッチがオン状態となるように設定されると，前記パルス幅変調部に駆動電圧を印加する駆動電圧印加部と，システム制御部から発生する電源オフ信号が検出されることにより，パルス幅変調部の動作を中断する電源オフ信号検出部とから構成されて，システム制御部は，スリープモードが設定されて，所定時間が経過することにより，電源オフ信号を発生することを特徴とする。
【００２１】
本発明によれば，スイッチがオン状態に制御されて，第１切替手段により電源が誘起されて，駆動電圧が印加される。上記駆動電圧により，パルス信号が提供されて，システム制御部および周辺機器に電源が供給される。または，スイッチがオフ状態に制御されて，電源オフ信号を検出した場合，システム制御部および周辺機器に対して電源の供給を中断する処理を行う。かかる構成により，周辺機器，システム制御部などが使用されていない場合は，周辺機器，システム制御部に電源の供給を中断するため，電力消費の削減をすることが可能となる。
【００２２】
本発明によれば，駆動電圧印加部及び変圧器は，駆動電圧が印加された後，スイッチがオフ状態に設定されても電源オフ信号が生じるまでシステム制御部および周辺機器に電源を供給することができる。かかる構成により，スイッチがオフ状態であっても，周辺機器などが動作されている場合，電源を供給して処理を続けて，処理が終了して周辺機器などが一定時間使用されない場合は，電源オフ信号が生じて電源供給を中断することができる。
【００２３】
本発明により，システム制御部は，スリープモードが設定されて，所定時間が経過することにより，電源オフ信号を発生することができる。かかる構成により，一定時間使用されない周辺機器などに対する電源の供給を中断することができる。
【００２４】
本発明により，駆動電圧印加部は，スイッチがオン状態の場合，駆動電圧がパルス幅変調部に伝送される経路を提供するための第２切替手段を有することができる。かかる構成により，スイッチがオン状態に設定された場合に，駆動電圧がパルス幅変調部に伝送されて，周辺機器などに電源が供給されることが可能となる。
【００２５】
本発明により，電源オフ信号検出部は，電源オフ信号が印加された場合，パルス幅変調部によるパルス信号の提供を中断するための第３切替手段を有することができる。かかる構成により，一定時間周辺機器などが使用されず，電源オフ信号が印加された場合に，周辺機器などに対して電源の供給を中断することにより，消費される電力を軽減させることが可能となる。
【００２６】
本発明により，電源供給制御装置は，システム外部から，所定動作を要求する信号が印加されるか否かを検出する検出部をさらに含み，駆動電圧印加部は，検出部から所定動作を要求する信号の検出を知らせる信号が印加された場合，パルス幅変調部に駆動電圧を印加することができる。かかる構成により，電源の供給が中断している状態で，周辺機器などに所定の処理が要求された場合に，周辺機器などに対して電源を供給することにより，要求された処理を実行することが可能となる。
【００２７】
本発明により，駆動電圧印加部は，スイッチのオンまたはオフ状態と関係なく所定動作を要求する信号の検出を知らせる信号が印加された場合，駆動電圧をパルス幅変調部に印加することができる。かかる構成により，周辺機器に電源が供給されているか否かによらず，周辺機器などに所定の処理が要求された場合に，周辺機器などに対して電源を供給することにより，要求された処理を実行することが可能となる。
【００２８】
所定動作を要求する信号は，リング信号であるように構成してもよい。かかる構成により，要求された所定処理をリング信号を検出することにより実行することができる。
【００２９】
さらに，本発明の別の観点によれば，システムに構成される少なくともシステム制御部及び周辺機器に対して，電源の供給すべく構成された電源供給制御装置の電源供給制御方法が提供される。この電源供給制御装置の電源供給制御方法において，電源供給制御装置は，スイッチがユーザと接触している間オン状態に設定される処理と，システムの外部から所定の動作を要求する信号が印加される処理とのうちいずれか一方の処理によりパワーサプライ機能部から前記周辺機器及びシステム制御部に電源を供給すべく制御する段階と，電源がシステム制御部と周辺機器とに供給されている状態で周辺機器の作動しない時間が所定時間を経過すると，スリープモードに設定し，そのスリープモードに設定された時間が所定時間過ぎると，電源オフ信号を生成する段階と，システム制御部から電源オフ信号が生じた場合，パワーサプライ機能部の動作を中断して周辺機器及びシステム制御部への電源供給を中断する段階と，周辺機器及びシステム制御部への電源供給が少なくとも中断した状態で，システム外部から所定動作を要求する信号を，システム制御部を介さずに検出する段階と，所定動作を要求する信号の検出を知らせる信号が印加された場合，システム制御部を介さずに駆動電圧を印加する段階とを有することを特徴とする。
【００３０】
さらに，本発明の別の観点によれば，システム制御部及び周辺機器を含んで構成されるシステムの少なくとも前記システム制御部と前記周辺機器とに対して供給される電源の供給を制御する電源供給制御装置において，前記システム制御部及び周辺機器に供給される電源の供給を中断させる電源オフ信号を検出する電源オフ信号検出部と，検出された前記電源オフ信号により，システム制御部及び周辺機器に電源を供給するのを中断するパルス幅変調部と，前記システム外部から所定動作を要求する信号の印加を検出する検出部と，前記所定動作を要求する信号の検出後，前記パルス幅変調部により，電源の誘起が再開して，システム制御部及び周辺機器に電源を供給する変圧器とを有することを特徴とする。
【００３１】
本発明によれば，前記変圧器は，前記電源オフ信号が生じるまで前記システム制御部および前記周辺機器に電源を供給することを特徴とする。
【００３２】
本発明によれば，前記システム制御部は，スリープモードが設定されて，所定時間が経過することにより，前記電源オフ信号を発生することを特徴とする。
【００３３】
本発明によれば，前記電源オフ信号検出部は，前記電源オフ信号が印加された場合，前記パルス幅変調部による前記パルス信号の提供を中断するための第３切替手段を有することを特徴とする。
【００３４】
本発明によれば，前記電源供給制御装置は，前記検出部から前記所定動作を要求する信号の検出がされた場合，前記パルス幅変調部に，前記電源の誘起のための駆動電圧を印加する駆動電圧印加部をさらに有することを特徴とする。
【００３５】
本発明によれば，前記駆動電圧印加部は，スイッチのオンまたはオフ状態と関係なく前記所定動作を要求する信号の検出を知らせる信号が印加された場合，前記駆動電圧を前記パルス幅変調部に印加することを特徴とする。
【００３６】
本発明によれば，前記所定動作を要求する信号は，リング信号であることを特徴とする。
【００３７】
前記目的を達成するために本発明による電源供給制御装置は，システム制御部を含んだシステムの各部分に電源供給を制御できる装置において，ユーザが接触している間にオン状態に設定されるスイッチ，スイッチと並列に接続されてシステム外部から所定の動作を要求する信号が印加されるか否かを検出する検出部，スイッチがオン状態に設定されるか，検出部から信号の検出を示す信号が印加されれば，各部分に電源を供給し，スイッチがオフ状態に設定されていて検出部から信号の検出を示す信号が印加ならない状態でシステム制御部から電源オフ信号が印加されれば，システム制御部を含んだ各部分への電源供給を中断する電源供給部を含むことが望ましい。
【００３８】
前記目的を達成するために本発明による電源供給制御装置は，システム内に備わっている制御部と電源供給が必要な周辺機器への電源供給を制御する装置とにおいて，オン／オフ制御されるスイッチ，第１切替手段と，駆動電圧が印加されれば，第１切替手段のスイッチング動作を制御するためのパルスを提供するＰＷＭ部と，第１切替手段の動作により電源を供給する変圧器と，スイッチがオンになれば，ＰＷＭ部に駆動電圧を印加する駆動電圧印加部と，電源オフ信号が検出されれば，ＰＷＭ部の動作を中断する電源オフ信号検出部を含み，制御部は変圧器から出力される電源が印加され，スリープモードが設定された後，所定時間が経過すれば，電源オフ信号を生ずべく構成されたことが望ましい。
【００３９】
また，前記目的を達成するために本発明による電源供給制御装置は，外部からシステムに所定動作を要求する信号が印加されるか否かを検出する検出部をさらに含み，駆動電圧印加部は検出部から所定動作を要求する信号の検出を知らせる信号が印加されれば，ＰＷＭ部に駆動電圧を印加すべく検出部と接続されたことが望ましい。
【００４０】
前記目的を達成するために本発明による電源供給制御方法は，ＳＭＰＳ機能部から出力される電源を制御部及び周辺機器にそれぞれ供給すべく構成されたシステムの電源供給制御方法において，ユーザと接触している間にオン状態に設定されるスイッチがオン状態であるか，システムの外部から所定の動作を要求する信号が印加されれば，ＳＭＰＳ機能部から前記周辺機器及び制御部に電源を供給すべく制御する段階と，電源が供給されている状態で制御部から電源オフ信号が生じれば，パワーサプライ機能部の動作を中断して制御部及び周辺機器への電源供給を中断する段階を含むことが望ましい。
【００４１】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００４２】
まず，図２を参照しながら，本実施の形態にかかる電源供給制御装置について説明をする。図２は，本実施の形態にかかる電源供給制御装置が備わるシステムのブロック図ある。図２に示される本実施の形態にかかるシステムは，例えばファクシミリのように，電話線を介してデータが送受信される機能を有するシステムを表す。なお，システムは，ファクシミリなどの多様な回路および装置から構成される装置全体，または装置全体により行われる処理など，装置全体にかかる総称を表す。
【００４３】
図２に示すように，本実施の形態にかかる電源供給制御装置を備えたシステムは，電源の供給または中断などの電源供給の制御をするＳＭＰＳ機能部２００とスイッチＳＷ２，周辺機器２２５，制御部２３０より構成される。
【００４４】
電源供給制御をするＳＭＰＳ機能部２００は，整流回路２０１，駆動電圧印加部２０５，変圧器２１５，ＰＷＭ−ＩＣ２１０，切替手段に該当する電界効果トランジスタＦＥＴ，フィードバック部２２０，電源オフ信号検出及び過電圧防止部２４０，リング信号検出部２５０，抵抗Ｒ４，Ｒ９及びキャパシタＣ７，Ｃ８より構成される。
【００４５】
なお，ＳＭＰＳ機能部２００は，電源供給部（パワーサプライ機能部）であり，少なくとも周辺機器２２５およびシステム制御部２３０に対して電源の供給または中断などの処理を制御する。
【００４６】
スイッチＳＷ２は，ユーザによりスイッチのオンまたはオフが切替えられる。スイッチＳＷ２は，例えば，タクトスイッチなどのような構造により構成される。従って，ユーザによりスイッチＳＷ２が押されている（接触している）間はオン状態となり，ユーザによりスイッチＳＷ２が押されない間は，オフ状態である。
【００４７】
整流回路２０１は，図１の整流回路１０１のようにＡＣ電圧が印加されると，整流してＤＣ電圧を出力する。出力されたＤＣ電圧は駆動電圧印加部２０５及び変圧器２１５に伝送される。
【００４８】
しかし，この時，ＰＷＭ−ＩＣ２１０には，駆動電圧Ｖｃｃが印加されずに電界効果トランジスタＦＥＴの状態がオフ状態であるので，変圧器２１５には電源が誘起されない。
【００４９】
従って，ＳＭＰＳ機能部２００にＡＣ電圧が印加されていてもＳＭＰＳ機能部２００はシステム制御部２３０及び周辺機器２２５に電源を供給しない。周辺機器２２５は，システム制御部２３０を除外した本実施の形態にかかるシステム内の構成要素であり，電源供給が必要である。例えば，モーターなどが挙げられる。
【００５０】
駆動電圧印加部２０５は抵抗Ｒ１，Ｒ２，Ｒ３，Ｒ６，Ｒ７，Ｒ８，キャパシタＣ１，Ｃ６，ＰＮＰ型トランジスタＱ１より構成され，ＰＷＭ−ＩＣ２１０に駆動電圧Ｖｃｃを供給する。
【００５１】
しかし，図１に示す駆動電圧印加部１０５とは異なり，起動時にスイッチＳＷ２がオンにならなければ，ＰＷＭ−ＩＣ２１０に駆動電圧が供給されない。これはスイッチＳＷ２がオンにならなければ，トランジスタＱ１がオフ状態を維持するためである。したがって，ＳＭＰＳ機能部２００は，システム制御部２３０および周辺機器２２５に電源を供給しない，電源オフモードとなる。
【００５２】
電源オフモードにおいてスイッチＳＷ２が押されると，トランジスタＱ１は導通状態になり，起動抵抗Ｒ１，Ｒ２を介して印加されるＤＣ電圧がトランジスタＱ１とキャパシタＣ６間の接点Ａを介してＰＷＭ−ＩＣ２１０のＰ１端子に供給される。これにより，ＰＷＭ−ＩＣ２１０は，Ｐ３端子を介して電界効果トランジスタＦＥＴに対するスイッチング制御信号を出力する。
【００５３】
なお，ＤＣ電圧のＰＷＭ−ＩＣ２１０からＰ１端子への供給は，スイッチＳＷ２がオン状態である場合，トランジスタＱ１が導通状態に切替わる手段（第２切替手段）により供給される。
【００５４】
電界効果トランジスタＦＥＴがスイッチング（第１切替手段）されると，変圧器２１５内の１次側主巻線Ｎｐに流れる電流により２次側巻線Ｎｓ１，Ｎｓ２及び１次側補助巻線Ｎａに電源が誘起される。
【００５５】
なお，第１切替手段は，ＰＷＭ−ＩＣ２１０がＰ３端子を介して電界効果トランジスタＦＥＴに対してスイッチング制御信号を出力することにより，電界効果トランジスタＦＥＴが，２次側巻線Ｎｓ１，Ｎｓ２及び１次側補助巻線Ｎａに電源が誘起されるように，オン状態に切替わる手段のことである。
【００５６】
上記２次側巻線Ｎｓ１，Ｎｓ２及び１次側補助巻線Ｎａに電源が誘起されることにより，２次側巻線Ｎｓ１，Ｎｓ２にそれぞれ連結されているキャパシタＣ２，Ｃ３，Ｃ４，Ｃ５及びダイオードＤ２，Ｄ３を介して誘起された電源が平滑化され，該当する周辺機器２２５及びシステム制御部２３０に供給される。
【００５７】
その後，スイッチＳＷ２が押されず，オフ状態でも，１次側補助巻線Ｎａに誘起された電源及びキャパシタＣ１に充電された電圧により，図１に示すように，ＰＷＭ−ＩＣ２１０のＰ１端子に駆動電圧が供給されて電界効果トランジスタＦＥＴのスイッチングが制御される。そして，図１に示すのとほぼ同様に，フィードバック部２２０からＰ４端子に伝送される信号により，ＰＷＭ−ＩＣ２１０は電界効果トランジスタＦＥＴのデューティサイクルを調整する。
【００５８】
ＳＭＰＳ機能部２００の電源がオン状態となり，システム制御部２３０及び周辺機器２２５に電源が印加されると，システム制御部２３０はシステム内の該当する周辺機器２２５が作動状態であるか否かをチェックする。
【００５９】
上記チェックの結果，周辺機器２２５が作動しない時間が，システムがスリープモードに設定される時間である場合は，スリープモードを設定する。また，スリープモードからさらに周辺機器２２５が作動しない時間が一定時間経過している場合，システム制御部２３０は電源オフ信号をアクティブ状態に出力する。本実施の形態では，上記アクティブ状態は，電源オフ信号がハイレベルの状態である。
【００６０】
これにより，電源オフ信号検出及び過電圧防止部２４０では電源オフ信号を検出する。図２に示すように，電源オフ信号検出及び過電圧防止部２４０は，フォトダイオード（Ｐｈｏｔｏ  Ｄｉｏｄｅ）ＰｈＤ２及びフォトトランジスタ（Ｐｈｏｔｏｔｒａｎｓｉｓｔｏｒ）ＰｈＱ２より構成されたフォトカップラ（Ｐｈｏｔｏｃｏｕｐｌｅｒ），トランジスタＱ２，抵抗Ｒ１０，Ｒ１１，Ｒ１３，Ｒ１４，およびジーナダイオード（Ｚｅｎｅｒ  Ｄｉｏｄｅ）ＺＤから構成される。
【００６１】
従って，システム制御部２３０から電源オフ信号がハイレベルに印加された場合，トランジスタＱ２が導通状態になってフォトダイオードＰｈＤ２が発光する。これにより，フォトトランジスタＰｈＱ２が導通され，Ｐ１端子に印加された駆動電源ＶｃｃはＰＷＭ−ＩＣ２１０のオン／オフ制御端子Ｐ５と接続される。この時，蓄電されたキャパシタＣ７によりＰＷＭ−ＩＣ２１０のオン／オフ制御端子Ｐ５に印加される信号はハイレベルの状態になる。
【００６２】
なお，上記フォトダイオードＰｈＤ２及びフォトトランジスタＰｈＱ２より構成されたフォトカップラは，上記電源オフ信号がハイレベルに印加されると，トランジスタＱ２を導通状態に切替えて，フォトトランジスタＰｈＱ２を導通状態に切替える手段を（第３切替手段）備えた装置である。
【００６３】
上記オン／オフ制御端子Ｐ５にハイレベルの状態の信号が印加されることにより，ＰＷＭ−ＩＣ２１０はターンオフ（オフ状態）となり，電界効果トランジスタＦＥＴに対するスイッチング制御が中断される。従って，ＳＭＰＳ機能部２００は電源オフ状態となる。
【００６４】
このようにＳＭＰＳ機能部２００が電源オン状態に設定されてから，電源オフ状態に設定されるまでの過程は，図３Ａ〜３Ｅに示す「電源オン→電源オフ」区間を通じて詳細に説明する。図３Ａ〜３Ｅは，本実施の形態にかかる電源供給制御装置の制御のタイミングを示す説明図である。
【００６５】
まず図３Ａに示すように，ＡＣ電源がＳＭＰＳ機能部２００に印加された状態から，図３Ｄに示すように，スイッチＳＷ２がオン状態に制御されると，図３Ｃに示すように，ＳＭＰＳ機能部２００において周辺機器２２５及びシステム制御部２３０に伝送される電源Ｖｏ１，Ｖｏ２のレベルは，ロー（ローレベル）状態からハイ（ハイレベル）状態に変わる。
【００６６】
上記ロー状態からハイ状態になることは，周辺機器２２５及びシステム制御部２３０に該当する電源が供給されることを意味する。周辺機器２２５及びシステム制御部２３０に該当する電源が供給された後，周辺機器２２５などの装置が何も処理が実行されない場合，システムはスリープモードに設定される。
【００６７】
スリープモードが設定された場合においても，ＳＭＰＳは続けてシステム制御部に電源を供給しているのみだけではなく，周辺機器への電源供給は遮断された状態でも，引き続きＳＭＰＳから周辺機器への電源供給作業は行われる。従って，スリープモードに設定された場合にもＳＭＰＳでの電力消費は続く。
【００６８】
スリープモードに設定された時間が所定の基準時間を超過すると，図３Ｂに示すように，システム制御部２３０から出力される電源オフ信号がローレベルからハイレベルに変わる。これにより，ＳＭＰＳ機能部２００は前述のように電源オフ状態（モード）になり，周辺機器２２５及びシステム制御部２３０に出力される電圧Ｖｏ１，Ｖｏ２は，図３Ｃに示すように，ハイレベルからローレベルに変わる。
【００６９】
また，前述の電源オフ信号検出及び過電圧防止部２４０は，ＳＭＰＳ機能部２００が電源オン状態である時，過電圧が周辺機器２２５に供給されることを防止できるように駆動される。すなわち，電圧Ｖｏ２がジーナダイオードＺＤに設定されている電圧より高くなれば，トランジスタＱ２が導通されてフォトダイオードＰＤ２が発光する。これにより，フォトトランジスタＰｈＱ２が導通されてＰＷＭ−ＩＣ２１０は前述のように動作を中断する。従って，ＳＭＰＳ機能部２００は電源オフ状態に設定されて周辺機器２２５及びシステム制御部２３０への電源供給が中断される。これにより，周辺機器２２５及びシステム制御部２３０への電源は供給されなくなり，電力消費はスリープモード設定よりもさらに軽減される。
【００７０】
ＳＭＰＳ機能部２００が電源オフ状態（モード）に設定されて，任意のデータを送信するために，スイッチＳＷ２が押されると，前述の起動時のようにＳＭＰＳ機能部２００が駆動して，周辺機器２２５及びシステム制御部２３０に電圧Ｖｏ１，Ｖｏ２をそれぞれ供給する。
【００７１】
すなわち，図３Ａ〜３Ｅに示す「電源オフ→電源オン」区間を通じて，図３Ｄに示すように，スイッチＳＷ２が押されると，図３Ｃに示すように，ＳＭＰＳ機能部２００から出力される電圧Ｖｏ１，Ｖｏ２は，ローレベル状態でからハイレベル状態に変わる。
【００７２】
そして，システムがスリープモードに設定された後，一定時間（スリープモード設定時間）が経過すると，図３Ｂに示すように，電源オフ信号が生じてＳＭＰＳ機能部２００は電源オフ状態（モード）に設定され，ＳＭＰＳ機能部２００から出力される電圧Ｖｏ１，Ｖｏ２は，図３Ｃに示すように，ローレベル状態に変わり，周辺機器２２５及びシステム制御部２３０には電源が供給されなくなる。
【００７３】
ＳＭＰＳ機能部２００が電源オフモードに設定された状態において，リング信号検出部２５０を介してファクシミリなどで使用されるコピー処理等の所定処理の要求信号であるリング信号（ベル信号）が検出されると，駆動電圧印加部２０５のトランジスタＱ１が導通状態になり，前述の起動時のようにＰＷＭ−ＩＣ２１０に駆動電圧Ｖｃｃが供給される。従って，ＳＭＰＳ機能部２００は，電源オン状態（モード）に設定されて，周辺機器２２５及びシステム制御部２３０に電源を供給する。上記供給される電源により周辺機器２２５などは，データを受信する処理などを行うことができる。
【００７４】
リング信号検出部２５０は，フォトダイオードＰｈＤ３及びフォトトランジスタＰｈＱ３より構成されたフォトカップラより構成される。なお，本実施の形態にかかるフォトダイオードＰｈＤ３は，ＳＭＰＳ機能部２００の外部に備えて実施することも可能である。例えば，システム内にラインインタフェースユニット（ＬＩＵ）を構成している場合，上記フォトダイオードＰｈＤ３はＬＩＵ（図示せず）内に備えることも可能である。リング信号検出部２５０は，チップ／リングラインを介して伝送されるリング信号を検出できるように，フォトダイオードＰｈＤ３はリング信号受信部（図示せず）と接続している。リング信号は電圧が誘起されて伝送される特性があるので，システムの電源がオフになった場合にも受信が可能な信号である。
【００７５】
上記ＳＭＰＳ機能部２００が電源オフモードに設定された状態でリング信号が検出されて，電源オン状態（モード）に設定される過程は，図３Ａ〜３Ｅの「電源オフ→リング信号発生による電源オン」区間に示されるように，スリープモードが設定された後，一定時間が経過してＳＭＰＳ機能部２００が電源オフ状態（モード）に設定された状態となる。
【００７６】
電源オフ状態に設定された状態で，図３Ｅに示されるように，リング信号が検出されると，ＳＭＰＳ機能部２００は電源オン状態（モード）に設定され，出力される電圧Ｖｏ１，Ｖｏ２はローレベル状態からハイレベル状態に変わる。すなわち，周辺機器２２５およびシステム制御部２３０に電源が供給される。
【００７７】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【００７８】
本実施の形態においては，外部からリング信号が印加される場合を例にあげて説明したが，本発明はかかる例に限定されない。例えば，システムの電源がオフになった状態で前述のリング信号検出部２５０のような構造をした装置を利用して検出できる信号（外部から印加されるシステムに対する任意の動作要求信号）に対しても実施可能である。
【００７９】
また，本実施の形態においては，スイッチング動作の制御に電界効果トランジスタＦＥＴを使用する場合を例にあげて説明したが，本発明はかかる例に限定されず，トランジスタＱ１，Ｑ２，Ｑ３を使用することも実施可能である。
【００８０】
また，本実施の形態においては，周辺機器２２５およびシステム制御部２３０に対して電源の供給がされた後，スイッチＳＷ２がオフ状態になり，電源オフ信号が出力される場合を例にあげて説明したが，本発明はかかる例に限定されず，スイッチＳＷ２がオン状態であっても，電源オフ信号が出力された場合には，周辺機器２２５及びシステム制御部２３０に対する電源の供給を中断することも実施可能である。
【００８１】
【発明の効果】
以上説明したように，本発明によれば，ＳＭＰＳを利用して電源の供給が行われるシステムにおいて，ＳＭＰＳの電源供給をシステムの動作状況に応じてより適応的にオン／オフ制御することにより，不要な電力の消費を減らせ，別途のＡＣスイッチを用いずにＳＭＰＳの電源をオン／オフできる。また，システムの電源がオフになった状態でリングを検出するために別途の補助電源を具備する必要がない。
【００８２】
特に，ファクシミリのようなシステムにおいてデータの伝送が無いなど，周辺機器，システム制御部などの装置が使用されない場合に，スリープモードが設定された場合では，引き続きシステム制御部に電源が供給されて，周辺機器への電源供給は遮断された状態でも，ＳＭＰＳから周辺機器への電源供給作業は行われるが，ＳＭＰＳによりシステム制御部及び周辺機器への実質的な電源供給を中断させることにより，スリープモードよりもさらにシステムに生じる電力消費を減らすことが可能である。
【００８３】
また，システム制御部及び周辺機器への実質的な電源供給が中断されても，所定の処理の要求がある場合，自動的に所定処理の要求信号を受信することにより，またはスイッチをオン状態に切替えることにより，システム制御部及び周辺機器に電源が供給されて，要求された処理を実行することが可能となる。
【図面の簡単な説明】
【図１】従来におけるＳＭＰＳのブロック図である。
【図２】本実施の形態にかかる電源供給制御装置のブロック図である。
【図３】図３Ａは，本実施の形態にかかる電源供給制御装置のＡＣ信号のタイミングを示す説明図である。
図３Ｂは，本実施の形態にかかる電源供給制御装置の電源オフ信号のタイミングを示す説明図である。
図３Ｃは，本実施の形態にかかる電源供給制御装置から周辺機器またはシステム制御部に供給される電圧のタイミングを示す説明図である。
図３Ｄは，本実施の形態にかかる電源供給制御装置のスイッチの押下による信号のタイミングを示す説明図である。
図３Ｅは，本実施の形態にかかる電源供給制御装置のリング信号のタイミングを示す説明図である。
【符号の説明】
２００    ＳＭＰＳ機能部
２０５    駆動電圧印加部
２１０    ＰＷＭ−ＩＣ
２１５    変圧器
２２０    フィードバック部
２２５    周辺機器
２３０    制御部
２４０    過電圧防止部
２５０    リング信号検出部
【図１】
0003664687.tif 000002
【図２】
0003664687.tif 000003
【図３】
0003664687.tif 000004